(57)【要約】【課題】集塵袋を再使用可能にし、さらに、集塵袋の塵埃排出開口を着脱可能な部材で閉塞する場合に、閉塞したにもかかわらず塵埃排出開口から塵埃が噴出すのを抑制する。【解決手段】本発明は、袋部材が電気掃除機に装着されて膨らんだ状態において袋部材の下側部分がほとんど膨張しないまま袋部材の外表面の一部が電気掃除機の袋部材収容室内の吸気側面に接触する電気掃除機用集塵袋において、袋部材の上下は開口し、袋部材の上部開口は接合され、袋部材の下部開口は着脱可能な部材によって塞がれることを特徴とする。【選択図】  図４
2011182844.tif 000002
【特許請求の範囲】
【請求項１】
開口を有する口板と前記口板に取り付けられた袋部材とを備え、前記袋部材が電気掃除機に装着されて膨らんだ状態において前記袋部材の下側部分がほとんど膨張しないまま前記袋部材の外表面の一部が前記電気掃除機の袋部材収容室内の吸気側面に接触する電気掃除機用集塵袋において、
前記袋部材の上下は開口し、前記袋部材の上部開口は接合され、前記袋部材の下部開口は着脱可能な部材によって塞がれることを特徴とする電気掃除機用集塵袋。
【請求項２】
請求項１に記載の電気掃除機用集塵袋において、
前記袋部材が電気掃除機に装着された状態において前記口板の上下中央から前記電気掃除機の袋部材装着室内の底面までの長さが、前記口板の上下中央から前記電気掃除機の袋部材装着室内の上面までの長さよりも短いことを特徴とする電気掃除機用集塵袋。
【請求項３】
開口を有する口板と前記口板に取り付けられた袋部材とを備えた電気掃除機用集塵袋において、
前記袋部材の下部には、前記袋部材の左右方向に切り取り線が形成され、
切り取られることによって形成された前記袋部材の下部開口は、着脱可能な部材によって塞がれることを特徴とする電気掃除機用集塵袋。
【請求項４】
請求項３に記載の電気掃除機用集塵袋において、
前記切り取り線よりも上側に折りたたみ線が形成されることを特徴とする電気掃除機用集塵袋。
【請求項５】
開口を有する口板と前記口板に取り付けられた袋部材とを備えた電気掃除機用集塵袋において、
前記袋部材は、複数枚の材料が積層されて形成され、
前記袋部材の内層は、ポリテトラフルオロエチレンを含有する材料からなり、
前記袋部材の下部開口は、着脱可能な部材によって塞がれることを特徴とする電気掃除機用集塵袋。
【請求項６】
請求項５に記載の電気掃除機用集塵袋において、
前記袋部材の内層は、ポリテトラフルオロエチレンを含有する材料からなる多孔質膜であることを特徴とする電気掃除機用集塵袋。
【請求項７】
請求項１乃至６の何れかに記載の電気掃除機用集塵袋を装着可能な電気掃除機。
【発明の詳細な説明】
【技術分野】
【０００１】
本発明は、再利用可能な電気掃除機用集塵袋及びその集塵袋を装着可能な電気掃除機に関する。
【背景技術】
【０００２】
再利用可能な電気掃除機用集塵袋として、特許文献１には、本体の上面に、集塵室の一部を形成して開閉自在または着脱自在に取付けられた蓋体を有する電気掃除機の集塵袋であって、袋部底部に形成された塵捨口に着脱自在に取付けられてこの塵捨口を挟持閉塞する挟持具を有するとともに、吸気口が形成されて、前記袋部先端近傍の側面に取り付けられた口芯を有する電気掃除機用集塵袋が記載されている。
【先行技術文献】
【特許文献】
【０００３】
【特許文献１】実願昭６１−６４６１４号（実開昭６２−１７７４７４号）のマイクロフィルム
【発明の概要】
【発明が解決しようとする課題】
【０００４】
特許文献１に記載の電気掃除機用集塵袋では、集塵室に対して集塵袋が小さいことから、図３に示すように、集塵袋がゴミを吸引して膨張した状態では、集塵袋全体が膨らみ、塵捨口（挟持具）も突っ張った状態となり塵捨口部に張力がかかるため、挟持具の取り付け方が不十分な場合に粉塵が塵捨口から噴出す恐れがある。
【０００５】
また、特許文献１に記載の電気掃除機用集塵袋では、集塵袋に最初から塵捨口が形成されると共に挟持具が取り付けられているため、挟持具使用に限定した使い方となってしまい、使用者の選択肢が少なくなり、使い勝手を損ねる恐れがある。
【０００６】
また、特許文献１に記載の電気掃除機用集塵袋では、集塵袋の内面に塵（ゴミ）が付着し、使用者による塵（ゴミ）捨てが困難となる恐れがある。
【０００７】
本発明の第１の目的は、集塵袋を再使用可能な電気掃除機用集塵袋および電気掃除機を提供することである。
【０００８】
本発明の第２の目的は、集塵袋の塵埃排出開口を着脱可能な部材で閉塞する場合に、閉塞したにもかかわらず塵埃排出開口から塵埃が噴出すのを抑制した電気掃除機用集塵袋および電気掃除機を提供することである。
【０００９】
本発明の第３の目的は、集塵袋をそのまま廃棄する使い方と集塵袋を再使用する使い方とを使用者が選択できる電気掃除機用集塵袋および電気掃除機を提供することである。
本発明の第４の目的は、集塵袋内からの塵埃の排出を容易にした電気掃除機用集塵袋および電気掃除機を提供することである。
【課題を解決するための手段】
【００１０】
本発明は、袋部材が電気掃除機に装着されて膨らんだ状態において袋部材の下側部分がほとんど膨張しないまま袋部材の外表面の一部が電気掃除機の袋部材収容室（例えば、集塵部）内の吸気側面（例えば、奥面）に接触する電気掃除機用集塵袋において、袋部材の上下は開口し、袋部材の上部開口は接合され、袋部材の下部開口は着脱可能な部材（例えば、クランプ）によって塞がれることを特徴とする。
【００１１】
本発明は、袋部材の下部には、袋部材の左右方向に切り取り線が形成され、切り取られることによって形成された袋部材の下部開口は、着脱可能な部材（例えば、クランプ）によって塞がれることを特徴とする。
【００１２】
本発明は、袋部材の内層は、ポリテトラフルオロエチレンを含有する材料からなり、袋部材の下部開口は、着脱可能な部材（例えば、クランプ）によって塞がれることを特徴とする。
【発明の効果】
【００１３】
本発明によれば、袋部材の下部開口は着脱可能な部材によって塞がれることにより、袋部材内の塵埃を下部開口から排出した後に着脱可能な部材によって閉塞できるため、集塵袋を再使用することができる。
【００１４】
本発明によれば、袋部材が電気掃除機に装着されて膨らんだ状態において袋部材の下側部分がほとんど膨張しないまま袋部材の外表面の一部が電気掃除機の袋部材収容室内の吸気側面に接触することにより、袋部材の塵埃排出開口が形成される側に着脱可能な部材が大きくズレたり、外れたりするほどの張力がかからないため、集塵袋の塵埃排出開口を着脱可能な部材で閉塞する場合に、閉塞したにもかかわらず、塵埃排出開口から塵埃が噴出すのを抑制することができる。
【００１５】
本発明によれば、袋部材の下部には、袋部材の左右方向に切り取り線が形成され、切り取られることによって形成された袋部材の下部開口は、着脱可能な部材によって塞がれることにより、集塵袋をそのまま廃棄する使い方と集塵袋を再使用する使い方とを使用者が選択でき、使い勝手を向上することができる。また、本発明によれば、袋部材の下部には、袋部材の左右方向に切り取り線が形成されることにより、使用者が、切り取り位置を容易に認識できる。
【００１６】
本発明によれば、袋部材の内層はポリテトラフルオロエチレンを含有する材料からなることにより、集塵袋内からの塵埃の排出を容易にすることができる。
【図面の簡単な説明】
【００１７】
【図１】本発明の電気掃除機の外観斜視図である。
【図２】本発明の掃除機本体の外観斜視図である。
【図３】本発明の掃除機本体の中央縦断面図である。
【図４】本発明の集塵袋の外観斜視図である。
【図５】本発明のクランプの外観斜視図である。
【図６】本発明の集塵袋の外観斜視図である。
【図７】本発明の集塵袋の側面図である。
【図８】図３のＥ部の拡大図である。
【図９】本発明の他の実施例（実施例２）の集塵袋の外観斜視図である。
【発明を実施するための形態】
【００１８】
本発明は、袋部材が電気掃除機に装着されて膨らんだ状態において袋部材の下側部分がほとんど膨張しないまま袋部材の外表面の一部が電気掃除機の袋部材収容室（例えば、集塵部５）内の吸気側面（例えば、奥面）に接触する電気掃除機用集塵袋において、袋部材の上下は開口し、袋部材の上部開口は接合され、袋部材の下部開口は着脱可能な部材（例えば、クランプ２７）によって塞がれることを特徴とする。
【００１９】
本発明は、袋部材の下部には、袋部材の左右方向に切り取り線が形成され、切り取られることによって形成された袋部材の下部開口は、着脱可能な部材（例えば、クランプ２７）によって塞がれることを特徴とする。
【００２０】
本発明は、袋部材の内層は、ポリテトラフルオロエチレンを含有する材料からなり、袋部材の下部開口は、着脱可能な部材（例えば、クランプ２７）によって塞がれることを特徴とする。
【００２１】
以下、図面を参照して、本発明の実施例１，２について説明する。
【実施例１】
【００２２】
図１は、本発明の実施例に係る電気掃除機を示す外観斜視図である。図２は、本発明の実施例に係る掃除機本体の下本体ケース３から上本体ケース４と蓋８を分離した状態の外観斜視図である。図３は、本発明の実施例に係る掃除機本体の中央縦断面図である。図２，図３は、集塵袋２０が集塵部５内で膨らんだ状態を示している。
【００２３】
図１に示すように、電気掃除機１は、掃除機本体２のホース接続口部１０にホース１２の一端である接続継手１２ａが接続され、ホース１２の他端に手元操作管１３の一端が接続されている。手元操作管１３には電動送風機９の吸込力の強弱等、電気掃除機１の運転モードを使用者が切り替えるスイッチ１６が設けられている。手元操作管１３の他端には伸縮継手管１４の一端が接続され、伸縮継手管１４の他端に略Ｔ字形状の床用の吸口１５が接続されている。吸口１５と伸縮継手管１４と手元操作管１３とは使用者の操作によって互いに着脱可能で、ホース１２と掃除機本体２とは使用者の操作によって互いに着脱可能である。伸縮継手管１４は、使用者の操作によって、伸縮可能である。伸縮継手管１４の代わりに、伸縮しない継手管であってもよい。吸口１５と伸縮継手管１４との間や伸縮継手管１４と手元操作管１３との間には、床用の吸口１５とは異なる、補助吸口（アタッチメント）が接続されてもよい。
【００２４】
図２に示すように、掃除機本体２は、上本体ケース４と下本体ケース３と蓋８によって外郭が形成される。掃除機本体２の後側には、吸引力を発生する電動送風機９と、この電動送風機９に電力を供給するための電源コード１９とを内蔵する。電源コード１９は、掃除機本体２に設置されるコードリールに巻き取られている。電動送風機９とコードリールとは、掃除機本体２の左右方向に隣接して配置される。電動送風機９の前側には、集塵部（集塵室）５が形成されている。集塵部５の前側は、ホース接続口部１０と連通し、集塵部５の後側は、保護フィルター１８を介して電動送風機９に連通する。つまり、集塵部５の前面に、ホース接続口部１０が形成され、集塵部５の後面に、保護フィルター１８が形成される。集塵部５には、集塵袋２０が着脱可能に装着される。ただし、保護フィルター１８は、必須の構成ではない。尚、掃除機本体２の前側とは、ホース接続口部１０が配置される側であり、後側とは、その反対側である。掃除機本体２の上下方向とは、掃除機本体２を横置きにした状態（使用状態）での上下方向である。掃除機本体２の左右方向とは、前後方向に垂直で、上下方向にも垂直な方向である。
【００２５】
電動送風機９を駆動した際の吸気力により、吸口１５から含塵空気を吸い込み、吸い込んだ含塵空気を伸縮継手管１４と手元操作管１３とホース１２を介して、ホース接続口部１０から掃除機本体２に吸い込ませ、集塵袋２０で塵埃を捕集（集塵）する。集塵袋２０を通過した空気流は、保護フィルター１８を介して電動送風機９に吸引されて昇圧される。集塵袋２０で捕集されなかった微細な塵は、電動送風機９の後側の上側に配置された排気フィルター３２でろ過捕集され、空気を掃除機本体２外に排気される。排気フィルター３２は、集塵袋２０より通気抵抗が高くても、捕塵率が高いのが好ましい。
【００２６】
図２，図３に示すように、掃除機本体２は、上本体ケース４と下本体ケース３と蓋８の間に配置した集塵部５内に集塵袋２０を着脱可能に装着している。なお、蓋８は、上本体ケース４の上側に回動可能に取り付けている。集塵袋２０の出し入れは蓋８を開いて行い、集塵袋２０を集塵部５に挿入・装着して上蓋８を閉じて電気掃除機１の運転を行う。
【００２７】
また、集塵部５内には集塵袋２０と電動送風機９の間に、集塵部５内に残留する塵埃が電動送風機９へ吸い込まれるのを防止して電動送風機９を保護するための保護フィルター１８を設けるとともに、除塵ユニット７を配置している。塵埃により膨張した袋部材２１の外表面は、除塵ユニット７に接触することとなる。この除塵ユニット７が揺動して、袋部材２１の奥側または上側の外表面を振動させることで、袋部材２１の内面に付着した塵埃が袋部材２１内へ振るい落とされる。除塵ユニット７による除塵動作は、電気掃除機１の運転停止が使用者から指示された際、または電気掃除機１の運転開始が使用者から指示された際、または使用者の任意の指示に従って行われるのが好ましい。
【００２８】
また、下本体ケース３は、この掃除機本体２を床面に走行させるための走行車輪１１と案内車輪４０を備えている。走行車輪１１は、下本体ケース３の後部の左右側面に配置され、案内車輪４０は、下本体ケース３の前部の底面に配置される。さらに、上本体ケース４の上部にはハンドル６が出没自在に取り付けられており、使用者は掃除機本体２を持ち運ぶ事ができる。
【００２９】
ホース接続口部１０に差し込んだホース１２の接続継手１２ａと、ホース１２へ塵埃がこぼれ落ちる（逆流）するのを抑制する逆止弁３１と一体になった弾性体からなるシール部材が気密状態に当接しており、この逆止弁３１が開くと流入口３０から集塵袋２０に設けた開口部２６を通じて、含塵空気流が集塵袋２０内に流入する。ここで、逆止弁３１と一体になったシール部材は、集塵袋２０に設けた口板（口芯）２２に密着して、塵埃がこぼれないようにする機能も有している。
【００３０】
次に、掃除機本体２内部の配置について説明する。ホース接続口部１０は上方から見て掃除機本体２の幅方向（左右方向）の略中央で、かつ、掃除機本体２の前面に配置している。集塵袋２０の流入部である開口部２６も同様に集塵部５の幅方向（左右方向）の略中央で、かつ、集塵部５内の前面に配置している。このように配置することで、集塵部５の入口部分に曲りなどを設ける必要が無いため、通気損失を小さくすることができる。
【００３１】
次に図３，図８を参照して集塵部５について説明する。図８は、図３のＥ部の拡大図である。
【００３２】
図３に示すように、集塵部５内の前下部（流入口３０より下側）には、下方向に凹んだ形状を有するホルダー３６があり、そのホルダー３６の凹形状部分に口板２２の下端が着脱可能に装着されている。ホルダー３６には、掃除機本体２の左右方向に延びる回動軸３７が設けられ、ホルダー３６は、掃除機本体２の前後方向に傾動可能である。回動軸３７の周りには、リングばねが取り付けられており、リングばねにより回動軸３７は、図３中では時計回り方向へ付勢されている。よって、ホルダー３６の凹の穴は、上後方向へ向くように付勢されている。
【００３３】
集塵部５内の前面の上部（流入口３０より上側）には、側断面が下向き略コの字形状のクランプ２８が設けられている。このクランプ２８の略コの字形状の一端が、係止部３８を形成する。クランプ２８の略コの字形状の係止部３８の外側には、外側へ向かって延びて形成されるフック２９が設けられる。クランプ２８の略コの字形状の係止部３８とは反対側の外側には、外側へ向かって延びて形成される補強部３３が設けられる。口板２２がクランプ２８に設けた係止部３８により保持され、蓋８を閉じた状態では、クランプ２８に設けた補強部３３が、蓋８の前端下部に下方向へ向かって延びるリブ３４により係止されている。このため、集塵袋２０に塵埃が溜まった状態で電動送風機９を駆動した際でも、集塵袋２０が電動送風機９側へ引っ張られて、口板２２が逆止弁３１と一体になった弾性体シール部材から離れることを防ぐことができ、塵埃がこぼれるのを防いでいる。なお、逆止弁３１は、集塵袋２０に設けた開口部２６から集塵袋２０に溜った塵埃がホース１２に設けた接続継手１２ａ側への逆流を防ぐように機能する。また、集塵袋２０は、集塵袋２０内に塵埃を溜めた後に、この集塵袋２０を廃棄する際に口板２２に設けた開口部２６を塞ぐシール部材（図示なし）を備えていてもよい。
【００３４】
この集塵袋２０を掃除機本体２内の集塵部５に装着するには、回動軸３７を回転軸として電動送風機９側に傾斜したホルダー３６に集塵袋２０の口板２２の下端を取り付け、この口板２２とホルダー３６を前方へ向かって起こしてクランプ２８に設けた係止部３８を口板２２の上端に引っ掛けて取り付ければよい。なお、クランプ２８は回動軸３５を回転軸に回動可能にしておくと、集塵袋２０の装着を容易にすることができる。クランプ２８に設けたフック２９や、補強部３３，蓋８に設けたリブ３９は、口板２２の幅方向の中央付近には設けずに、口板２２の幅方向の両端付近に設けている。
【００３５】
次に、図４を用いて、電気掃除機用の集塵袋２０の概要を説明する。図４は、本発明の実施例に係る集塵袋２０の外観斜視図である。図４は、集塵袋２０内に塵埃を溜っておらず、集塵袋２０が膨らんでいない状態を示す。集塵袋２０が膨らんでいない状態では、集塵袋２０はほぼ平面状である。図４（ａ）は、集塵袋２０の下端が、クランプ２７により挟持された状態を示し、図４（ｂ）は、集塵袋２０の下端が、クランプ２７により挟持されていない状態を示す。
【００３６】
集塵袋２０は、円形状の開口部２６を有した厚紙やプラスチック等で構成された略四辺形の口板２２と、開口部２６に対応する開口を有し紙，布，獣毛やプラスチック材等の不織布等で構成された通気性のある袋部材２１とを備える。口板２２の上端の左右方向の略中央には、１０mm程度の深さの切り欠き部２５が形成される。切り欠き部２５は、集塵部５内に集塵袋２０が装着されていないときは、蓋８が完全に閉じるのを阻止する蓋閉塞阻止部材の機能を有する。これにより、使用者は、集塵部５内に集塵袋２０が装着されていないことを認識でき、集塵部５内に集塵袋２０が装着されずに電気掃除機１が運転されるのを抑制することができる。口板２２のうち切り欠き部２５が形成される側を、集塵袋２０の上側とする。袋部材２１は、異種の不織布が複数層（例えば、３層）厚さ方向に積層されて形成されるのが好ましい。
【００３７】
袋部材２１の最内層の材料には、ポリテトラフルオロエチレンからなる多孔質膜を用いるのが好ましい。ポリテトラフルオロエチレンからなる多孔質膜を用いることにより、袋部材２１内面の塵離れがよくなり、使用者が袋部材２１内から塵埃を容易に排出できる。また、使用者が袋部材２１内面に付着した塵埃を掻き出さなくても、再利用可能な程度に袋部材２１内から塵埃を排出できるため、掻き出しに伴う塵埃の巻き上がりも抑制できる。ポリテトラフルオロエチレンからなる多孔質膜を用いる代わりに、袋部材２１の最内面に、塵離れのよい材料をコーティングしてもよい。
【００３８】
袋部材２１の最外層と最内層の間の中間層の材料に、ポリテトラフルオロエチレンからなる多孔質膜を用い、最内層に不織布を用いてもよい。ポリテトラフルオロエチレンからなる多孔質膜は薄いため、比較的大きい塵埃がポリテトラフルオロエチレンからなる多孔質膜に衝突した場合に破れる恐れがあるため、ポリテトラフルオロエチレンからなる多孔質膜の内側に丈夫な不織布を用いることによって、ポリテトラフルオロエチレンからなる多孔質膜が破れるのを防止することができる。よって、ポリテトラフルオロエチレンからなる多孔質膜は、最内層であっても、中間層であってもよく、内層に用いられればよい。
【００３９】
袋部材２１は口板２２の裏面側に接着されている。袋部材２１と口板２２の接着部分は、口板２２の全体に亘っておらず、口板２２の外周部分の１０mm〜１５mm程度は袋部材２１と接着していない（非接着部１７）。袋部材２１は口板２２の開口部周りに接着されている。口板２２は電気掃除機１の集塵部５に装着する際、クランプ２８に設けたフック２９と係合するが、口板２２の外周端部まで袋部材２１が接着していると、口板２２とフック２９が係合することができず、また、フック２９で袋部材２１を傷付ける虞がある。このため、本実施例では口板２２の外周部分は袋部材２１と接着していない。口板２２と袋部材２１とが接着しない部分は、少なくとも口板２２の一片、すなわちフック２９と係合する側の片は必要であるが、その他の片は口板２２の端部まで接着されていても良い。
【００４０】
袋部材２１は、展開すると長方形を有し、その長方形の一辺と対向辺を重ね合わせて接着剤にて接着して筒状体に形成する。この状態では、筒状体は、上下が開口している。そして、筒状体を折りたたみ、折りたたんだ筒状体の上端（上側開口部分）を２回折り返して、接着剤（接合部材）にて接着して、折り返し部２３を形成する。よって、袋部材２１の上端は、常に閉塞している。折り返し回数は、１回でもよいし、３回以上でもよい。接着剤の代わりにステープラーのとじ針などの金具（接合部材）により接合してもよい。一方、折りたたんだ筒状体の下端（下側開口部分）を２回折り返して、折り返し部２４を形成する。折り返し回数は、同様に、１回でもよいし、３回以上でもよい。折り返し後に、接着剤（接合部材）にて接着せずに、クランプ２７（挟持具）により折り返し部２４を外側から挟み込む。よって、使用者がクランプ２７を外し、折り返しを解けば、袋部材２１の下端を開口することができる。クランプ２７は、袋部材２１の下側開口部分を閉塞する閉塞部材の機能を有する。
【００４１】
口板２２の開口部２６の上下方向の中央である上下中心線（図４（ｂ）中の一点破線）から集塵袋２０の下端までの長さ（集塵袋２０の下部長さ）Ｌ１は、口板２２の開口部２６の上下中心線から集塵袋２０の上端までの長さ（集塵袋２０の上部長さ）Ｌ２よりも、１０mm程度小さい。つまり、Ｌ１＜Ｌ２の関係を有する。ただし、Ｌ１≒Ｌ２であってもよい。尚、口板２２の開口部２６の上下中心線から口板２２の上端までの長さと口板２２の開口部２６の上下中心線から口板２２の下端までの長さはほぼ等しい。よって、口板２２の上下方向の中央と開口部２６の上下方向の中央とはほぼ一致する。
【００４２】
このように、集塵袋２０の下端を接合せずにクランプ２７で着脱可能に挟持することによって、使用者は、集塵袋２０内に溜った塵埃を集塵袋２０の下端開口から排出し、集塵袋２０の下端をクランプ２７で再度挟持することによって、集塵袋２０を再利用することができる。よって、集塵袋２０という資源の無駄を省くことができる。また、クランプ２７を、電動送風機９の吸気口に対向する面である集塵袋２０の奥面（後面）以外に設けているため、クランプ２７によって吸気が妨げられたり、流れを乱したりするのを抑制できる。尚、使用時間が長くなるに従って、袋部材２１に細塵が付着し、袋部材２１の通気性が低下するため、集塵袋２０の再使用回数は、２，３回程度にするのが好ましい。さらに、クランプ２７を、電動送風機９の吸気口に対向する面である集塵袋２０の奥面（後面）以外に設けているため、クランプ２７によって吸気が妨げられたり、流れを乱したりするのを抑制できる。
【００４３】
次に、図５は、本発明の実施例に係るクランプ２７の外観斜視図である。図５（ａ）は、クランプ２７の一方から見た斜視図を示し、図５（ｂ）は、クランプ２７の反対側の他方から見た斜視図を示す。図６は、発明の実施例に係る集塵袋２０の外観斜視図である。図６は、集塵袋２０にクランプ２７が装着されているが、挟持されていない状態を示す。
【００４４】
クランプ２７は、合成樹脂や金属によって構成されるのが好ましい。クランプ２７は、棒状の上腕部材４１と棒状の下腕部材４２を備える。上腕部材４１および下腕部材４２の長さは、集塵袋２０（袋部材２１）の下端部分の左右方向の長さよりも長い。よって、クランプ２７の長さも、集塵袋２０（袋部材２１）の下端部分の左右方向の長さよりも長い。上腕部材４１および下腕部材４２の幅は、集塵袋２０の下端部分の折り返し幅よりも小さい。ただし、上腕部材４１および下腕部材４２の幅は、集塵袋２０の下端部分の折り返し幅と同等または大きくてもよい。上腕部材４１の一端は直線状であり、他端は略Ｌ字形状に折れ曲がっている。上腕部材４１の略Ｌ字形状に屈曲した部分が、下腕部材４２の他端と回動可能に連結されている（連結部４３）。下腕部材４２の一端には、断面が略コの字形状の止め具４５が回動可能に連結されている（連結部４６）。止め具４５は、下腕部材４２に対して上腕部材４１が閉じられた場合に、上腕部材４１の一端を略コの字形状の内側に保持して、閉塞状態を保持する機能を有する。止め具４４の代わりに、輪ゴムを利用してもよい。また、止め具４４の代わりに、上腕部材４１と下腕部材４２とが相対的に閉じる方向に付勢するバネなどの弾性部材を連結部４３近傍に設けてもよい。
【００４５】
下腕部材４２の一端と他端の中間部分には、断面が略コの字形状の止め具４４が接合されている。図６に示すように、止め具４４は、集塵袋２０の下端がすれるのを阻止する機能を有する。つまり、止め具４４は、集塵袋２０の下端部分がクランプ２７によって挟持された状態において、クランプ２７がずれたり、ずれて外れたりするのを抑制できる。さらに、止め具４４は、集塵袋２０の下端部分にクランプ２７を装着する際に、使用者に位置決めを容易にすることができる。つまり、クランプ２７が集塵袋２０の下端側に取り付けられることによってクランプ２７が集塵袋２０の下端部分からずれて容易に外れるのを抑制し、逆に、クランプ２７が集塵袋２０の中央側に取り付けられることによって集塵袋２０内の集塵容量が小さくなるのを抑制することができる。止め具４４の断面は、略コの字形状ではなく、略Ｌ字形状であってもよい。止め具４４は、下腕部材４２に沿って延設されるものではなく、部分的な突起であってもよい。ただし、止め具４４は必須の構成ではなく、なくてもよい。また、上腕部材４１のうち下腕部材４２との対向面、下腕部材４２のうち上腕部材４１との対向面のいずれかまたは両方に、ゴムなどの摩擦係数が高く弾性変形可能な部材を形成してもよい。この部材により、集塵袋２０の下端部分がクランプ２７によって挟持された状態において、クランプ２７がずれたり、ずれて外れたりするのを抑制できる。さらに、その部材の弾性力により、集塵袋２０の下端部分を確実に閉塞して、集塵袋２０の下端から塵埃が吸い出されるのを抑制できる。
【００４６】
本実施例のクランプ２７のように集塵袋２０の下端部分を左右方向の全面にわたって挟み込むものであれば、集塵袋２０の下端部分の折り返し回数は、０回でもよい。つまり、折り返すことなく、集塵袋２０の下端が開口された状態のまま、クランプ２７によってその開口を挟み込んで、閉塞してもよい。逆に、集塵袋２０の下端部分を１回以上折り返すのであれば、クランプ２７のように集塵袋２０の下端部分を左右方向の全面にわたって挟み込むものではなく、集塵袋２０の下端部分の一部を閉塞するものであってもよい。集塵袋２０の下端部分の少なくとも５０％以上または複数箇所を挟み込むものであれば、集塵袋２０の下端開口から塵埃が吸い出されることがない。例えば、クランプ２７の代わりに、目玉クリップやゼムクリップ，ターンクリップを用いてもよい。
【００４７】
図７は、本発明の実施例に係る集塵袋２０の梱包時の状態を示す側面図である。袋部材２１が、口板２２が接着された袋部材２１の中央部分に対して、口板２２が接着されていない袋部材２１の上側部分と、口板２２が接着されていない袋部材２１の下側部分とが折りたたまれる。つまり２回折りたたまれている。袋部材２１の上側部分が先に折りたたまれ、袋部材２１の下側部分が後に折りたたまれるのが好ましい。つまり、袋部材２１の下側部分つまりクランプ２７が外側に位置するのが好ましい。この状態で、箱や袋などに詰め込まれる。使用時は、袋部材２１を無理に広げず、折りたたまれた状態のまま、集塵部５に装着するのが好ましい。ただし、集塵袋２０とクランプ２７を分離して、箱や袋などに詰め込まれてもよい。この場合は、使用時は、集塵袋２０の下端部分にクランプ２７を装着し、袋部材２１の下側部分を再度折りたたんで、集塵部５に装着するのが好ましい。袋部材２１の下側部分つまりクランプ２７が外側に位置することにより、集塵袋２０が塵埃を吸い込んで膨らむ際に、袋部材２１の上側部分よりも先に、袋部材２１の下側部分つまりクランプ２７が配置された部分が開くこととなる。Ｌ１＜Ｌ２、つまり先に開く部分が短いことにより、集塵袋２０が塵埃を吸い込んで膨らむ際に、開き易くなる。ただし、集塵部５内で集塵袋２０が膨らんだ状態において、袋部材２１の上側部分は袋部材２１の中央部分に対して後側に開き、さらに、袋部材２１の上側部分の内部も開く（膨張する）ことになるが、袋部材２１の下側部分は袋部材２１の中央部分に対して後側に開くが、袋部材２１の下側部分の内部はほとんど開かず（膨張せず）、閉じたままとなる。袋部材２１の下側部分の内部が開かず、閉じたままであることにより、クランプ２７の挟持部分（折り返し部２４）には膨張による張力がほとんどかからないため、クランプ２７の挟持が多少緩くても、集塵袋２０からクランプ２７が外れて、集塵袋２０の下端開口から塵埃が漏れ出すことを抑制することができる。
【００４８】
次に、図３を用いて、掃除機本体２の集塵部５の内部と集塵袋２０との寸法関係を説明する。
【００４９】
掃除機本体２の流入口３０の上下方向の中央である中心線（図３中の一点破線）は、集塵袋２０の開口部２６の中心線（図４（ｂ）中の一点破線）に略一致する。一方、流入口３０の中心線（図３中の一点破線）と、電動送風機９の回転軸の中心線（図３中の一点破線）とは一致せず、電動送風機９の回転軸の中心線のほうが上側に位置する。また、掃除機本体２の流入口３０よりも電動送風機９の吸気口のほうがやや上側に位置する。よって、流入口３０から流れ込んだ空気は、やや上方へ向かって流れ、電動送風機９の吸気口から吸い込まれる。集塵部５の上面を形成する蓋８は、後側から前側に行くに従って下側に位置するよう、傾斜している。一方、集塵部５の底面の前後方向の中間部には、案内車輪４０を掃除機本体２の底面に取り付けるためのキャスター取付部４７が、集塵部５の内側に向かって突出しているが、キャスター取付部４７を除くと、集塵部５の底面は、掃除機本体２の前後方向、すなわち水平方向と略一致する。キャスター取付部４７は、必須の構成ではない。
【００５０】
集塵部５の前部底面から流入口３０の中心線までの高さ（集塵部５の前部の下部高さ）をＨ１、流入口３０の中心線から集塵部５の前部上面までの高さ（集塵部５の前部の上部高さ）をＨ２、集塵部５の後部底面から流入口３０の中心線までの高さ（集塵部５の後部の下部高さ）をＨ３、流入口３０の中心線から集塵部５の後部上面までの高さ（集塵部５の後部の上部高さ）をＨ４とすると、集塵部５の前部の高さは、（Ｈ１＋Ｈ２）で示され、集塵部５の後部の高さは、（Ｈ３＋Ｈ４）で示される。集塵部５の底面（下面）は、掃除機本体２の前後方向、すなわち水平方向と略一致するため、Ｈ１≒Ｈ３である。集塵部５の上面は、前方に向かって低くなるように傾斜しているため、Ｈ２＜Ｈ４である。よって、（Ｈ１＋Ｈ２）＜（Ｈ３＋Ｈ４）である。集塵部５の前後方向の奥行きをＷとすると、Ｗ＜（Ｈ１＋Ｈ２）である。つまり、集塵部５内部の前後方向の奥行きは、集塵部５内部の高さよりも小さい。さらに、集塵部５の上下方向中央よりも下側に、流入口３０が形成される。流入口３０を基準にすると、集塵部５の上側空間は広く、下側空間は狭い。つまり、集塵部５の上下方向の中央に対して、流入口３０の中心線は下側に位置する。よって、Ｈ１＜Ｈ２であり、Ｈ３＜Ｈ４である。
【００５１】
図３に示すように、集塵部５内で集塵袋２０が膨張した際には、開口部２６と対向する集塵袋２０の奥面（後面）の外表面は、集塵部５の奥面（後面）の内表面を形成する保護フィルター１８の前面に接触する。よって、集塵袋２０が膨張した際の集塵袋２０の前後方向の奥行きは、集塵部５内の前後方向の奥行きＷと同一か大きいということになる。集塵袋２０の底面（下面）の外表面は、袋部材２１の下側部分の内部がほとんど膨張しないまま、集塵部５の底面（下面）の内表面に接触する。これは袋部材２１の中央部分には空気が流れ込み易いため、袋部材２１の中央部分が先に膨張する一方で、袋部材２１の下側部分には空気が流入しづらく、袋部材２１の中央部分の膨張によって袋部材２１の下側部分の膨張が妨げられるためであると考えられる。一方、袋部材２１の上側部分は、集塵部５の上側空間が広いため、袋部材２１の中央部分の膨張によって袋部材２１の上側部分の膨張が妨げられないため、袋部材２１の上側部分は膨張できる。よって、集塵袋２０が膨張した際の集塵袋２０の底面から開口部２６の中心線までの高さは、集塵部５の下部高さＨ１，Ｈ３と同一か大きいということになる。当然ながら、集塵袋２０が折りたたまれた状態の下部長さＬ１は、Ｌ１＞Ｈ１，Ｌ１＞Ｈ３である。クランプ２７が、集塵部５の底面の一部を形成するキャスター取付部４７に接触する。一方、集塵袋２０の上面の外表面は、集塵部５の上面の内表面に接触していない。つまり、集塵袋２０が膨張しても、開口部２６の中心線から集塵袋２０の上面までの高さは、集塵部５の上部高さＨ２，Ｈ４よりも小さいことになる。このように集塵部５の上下方向の中央に対して流入口３０が下側に位置しかつ集塵部５内の前後方向の奥行きが上下方向の高さよりも小さい場合には、集塵袋２０の上面は、張った状態となり、一方、集塵袋２０の下面は、ゆとりのある状態（袋部材２１の下側部分の内部がほとんど膨張しない状態）となり、すなわち、集塵袋２０の下面にかかる張力が集塵袋２０の上面にかかる張力よりも小さいため、クランプ２７の挟持が多少緩くても、集塵袋２０からクランプ２７が外れて、集塵袋２０の下端開口から塵埃が漏れ出すことを抑制することができる。尚、集塵袋２０の下面がゆとりのある状態となるのであれば、集塵袋２０の上面の外表面は、集塵部５の上面の内表面に接触してもよい。
【００５２】
流入口３０を基準にして集塵部５の上下空間のうち狭い側に、クランプ２７が取り付けられていればよいので、例えば、流入口３０を基準にして集塵部５の上側空間が狭く、下側空間が広い場合には、集塵袋２０の下端を接着剤などで常時接合し、集塵袋２０の上端をクランプ２７にて挟持してもよい。
【実施例２】
【００５３】
次に、集塵袋２０の他の実施例を説明する。図９は、本発明の実施例２に係る集塵袋の外観斜視図である。
【００５４】
折り返し部２４を、折り返し部２３と同様に、２回折り返して、接着剤（接合部材）にて接着して形成する。つまり、袋部材２１の下端は、袋部材２１の上端と同様に、常に閉塞している。
【００５５】
そして、袋部材２１の折り返し部２４よりも数mm程度上側の表面に、左右方向に沿った切り取り線４８を形成（印刷）する。切り取り線４８の近傍（上側または下側）には、「切り取り線」の文字も印刷するのが好ましい。袋部材２１の切り取り線４８よりも２０mm程度上側の表面に、左右方向に沿った折りたたみ線４９を形成（印刷）し、さらに、折りたたみ線４９よりも２０mm程度上側の表面に、左右方向に沿った折りたたみ線５０を形成（印刷）する。折りたたみ線４９，折りたたみ線５０の近傍（上側または下側、好ましくは折りたたみ線４９と折りたたみ線５０の間）には、「折りたたみ線」の文字も印刷するのが好ましい。切り取り線４８や折りたたみ線４９，折りたたみ線５０は、印刷の代わりに、型押しで窪みを付けてもよい。折りたたみ線４９，折りたたみ線５０は、２本形成する代わりに、何れか１本でもよいし、なくてもよい。
【００５６】
切り取り線４８を形成することにより、使用者が集塵袋２０内の塵埃を排除して集塵袋２０を再利用したい場合に、ハサミなどで切り取る位置を容易に認識することができる。折りたたみ線４９，折りたたみ線５０を形成することにより、使用者が集塵袋２０内の塵埃を排除して集塵袋２０を再利用したい場合に、ハサミなどで切り取った後、折りたたみ位置を容易に認識することができる。
【００５７】
このように、集塵袋２０の上下の両端を接合しておき、集塵袋２０の下部に切り取り線４８や折りたたみ線４９，折りたたみ線５０を形成することにより、使用者は、集塵袋２０を再利用せずに集塵袋２０ごと廃棄する使い方と、集塵袋２０内の塵埃を排除して集塵袋２０を再利用する使い方とを自由に選択することができる。
【符号の説明】
【００５８】
１  電気掃除機
２  掃除機本体
３  下本体ケース
４  上本体ケース
５  集塵部
６  ハンドル
７  除塵ユニット
８  蓋
９  電動送風機
１０  ホース接続口部
１１  走行車輪
１２  ホース
１２ａ  接続継手
１３  手元操作管
１４  伸縮継手管
１５  吸口
１６  スイッチ
１７  非接触部
１８  保護フィルター
１９  電源コード
２０  集塵袋
２１  袋部材
２２  口板
２３，２４  折り返し部
２５  切り欠き部
２６  開口部
２７，２８  クランプ
２９  フック
３０  流入口
３１  逆止弁
３２  排気フィルター
３３  補強部
３４，３９  リブ
３５，３７  回動軸
３６  ホルダー
３８  係止部
４０  案内車輪
４１  上腕部材
４２  下腕部材
４３，４６  連結部
４４，４５  止め具
４７  キャスター取付部
４８  切り取り線
４９，５０  折りたたみ線
【図１】
2011182844.tif 000003
【図２】
2011182844.tif 000004
【図３】
2011182844.tif 000005
【図４】
2011182844.tif 000006
【図５】
2011182844.tif 000007
【図６】
2011182844.tif 000008
【図７】
2011182844.tif 000009
【図８】
2011182844.tif 000010
【図９】
2011182844.tif 000011